(57)【要約】 【課題】                  例えば釣り用クッションに好適で、構成が簡単で安価かつ容易に製作でき、しかも小形軽量で携帯に至便なうえに、使用時には風等によって移動若しくは飛ばされず安心かつ安定して座れるクッションを提供すること。【解決手段】    内部にクッション材４を収容し、外周面をカバ−２，３で被覆したクッション１であること。  前記クッション１内部を水密に構成する。  前記クッション１内部に前記クッション材４と略同体積の水を収容可能にする。  前記水の移動を前記クッション材４を介して抑制可能にする。【選択図】図２
2009066030.tif 000002
【特許請求の範囲】
【請求項１】
内部にクッション材を収容し、外周面をカバ−で被覆したクッションにおいて、クッション内部を水密に構成し、該内部に前記クッション材と略同体積の水を収容可能にし、該水の移動を前記クッション材を介して抑制可能にしたことを特徴とするクッション。
【請求項２】
前記クッションの一側に注水可能なシ−ルパイプを設け、該パイプにシ−ルキャップを螺着した請求項１記載のクッション。
【発明の詳細な説明】
【技術分野】
【０００１】
本発明は、例えば釣り用クッションに好適で、構成が簡単で安価かつ容易に製作でき、しかも小形軽量で携帯に至便なうえに、使用時には風等によって移動若しくは飛ばされず安心かつ安定して座れるようにしたクッションに関する。
【背景技術】
【０００２】
例えば釣り船に乗って釣りをする場合、釣り船の椅子や釣り用ク−ラに長時間座って行なうが、それらの表面は硬く長時間座り続けることが困難になるため、適当なクッションを用いて座る場合が多い。
このような釣り用クッションとして、発泡材等のクッション材を塩化ビニ−ル等のカバ−で被覆して、肉厚の矩形板状に形成したものがある（例えば、特許文献１参照）。
【０００３】
しかし、前記釣り用クッションは、軽量で底部が滑り易いため、風等によって動いたり飛ばされるという問題があった。
【０００４】
このような問題を解決するものとして、発泡材等のクッション材を塩化ビニ−ル等の合成樹脂で被覆して肉厚の矩形板状に形成し、その内部の底部側に板状の重りを収容して、風等で飛ばされる事態を防止するとともに、底面に柔らかな材質の底部層を固定し、その下面に吸盤と同様の作用を奏する複数の球面状の凹部を形成し、その吸着作用によって、クッションが風等で動いたり飛ばされる事態を防止するものがある（例えば、特許文献２参照）。
【０００５】
しかし、前記釣り用クッションは、重りを内蔵しているため重く、かつ折り畳めないため、持ち運びに不便で、しかも底部層の成形が複雑でその取り付けを要するため、製作に手間が掛かって高価になるという問題があった。
【０００６】
【特許文献１】特開平１０−２１１０６０号公報
【特許文献２】特開２００６−６７８４３号公報
【発明の開示】
【発明が解決しようとする課題】
【０００７】
本発明はこのような問題を解決し、例えば釣り用クッションに好適で、構成が簡単で安価かつ容易に製作でき、しかも小形軽量で携帯に至便なうえに、使用時には風等によって移動若しくは飛ばされず安心かつ安定して座れるようにしたクッションを提供することを目的とする。
【課題を解決するための手段】
【０００８】
請求項１の発明は、内部にクッション材を収容し、外周面をカバ−で被覆したクッションにおいて、クッション内部を水密に構成し、該内部に前記クッション材と略同体積の水を収容可能にし、該水の移動を前記クッション材を介して抑制可能にし、使用時は所定量の水を収容して重量を増やし、風等による移動や吹き飛ばされる事態を防止するとともに、不使用時は水を除去し、軽量化と柔軟性を回復して、折り畳んだり丸めてコンパクト化を図れ、その携帯や保管の至便化を図るようにしている。
また、クッションの使用時はクッション材と略同体積の水を注入することによって、略平面状態の座面を形成して安定して座れるとともに、注入した水をクッション材に吸収させて移動を抑制し、例えば釣り船の挙動に同動する使用者の着座姿勢の安定化を図るようにしている。
しかも、着座時は水とクッション材がクッション作用を奏し、クッション材のみのクッションに比べ、クッション作用を向上するとともに、クッション材のへたりや変形を防止し、良好な使用状態を長期に亘って得られるようにしている。
請求項２の発明は、前記クッションの一側に注水可能なシ−ルパイプを設け、該パイプにシ−ルキャップを螺着し、簡単な構造でクッションの水密構造と水の給排を実現し得るようにしている。
【発明の効果】
【０００９】
請求項１の発明は、クッション内部を水密に構成し、該内部に前記クッション材と略同体積の水を収容可能にし、該水の移動を前記クッション材を介して抑制可能にしたから、使用時は所定量の水を収容して重量を増やし、風等による移動や吹き飛ばされる事態を防止することができ、不使用時は水を除去し、軽量化と柔軟性を回復して、折り畳んだり丸めてコンパクト化を図れ、携帯や保管の至便化を図ることができる。
【００１０】
また、クッションの使用時はクッション材と略同体積の水を注入することによって、略平面状態の座面を形成できるから、安定した着座状態を得られるとともに、注入した水をクッション材に吸収して移動を抑制し、例えば釣り船の挙動に同動する使用者の着座姿勢の安定化を図ることができる。
しかも、着座時は水とクッション材がクッション作用を奏するから、クッション材のみのクッションに比べ、クッション作用を向上できるとともに、クッション材のへたりや変形を防止し、良好な使用状態を長期に亘って得られる効果がある。
【００１１】
請求項２の発明は、前記クッションの一側に注水可能なシ−ルパイプを設け、該パイプにシ−ルキャップを螺着したから、簡単な構造でクッションの水密構造と水の給排を実現することができる。
【発明を実施するための最良の形態】
【００１２】
以下、本発明を釣り用クッションに適用した図示の実施形態について説明すると、図１乃至図３において１は略横長矩形のクッションで、その一側面と他側面を柔軟な塩化ビニ−ル等の合成樹脂シ−ト製のカバ−２，３で被覆し、その四周の接合部を熱溶着して密封しており、その内部に発泡ポリウレタン製の柔軟なクッション材４が収容されている。
実施形態のクッション１は、縦約３４０ｍｍ、横約４３０ｍｍ、厚さ約２５ｍｍの横長矩形の板体に構成されている。
前記クッション材４はクッション１と略同形で肉厚の横長矩形状に形成され、該クッション材４に所要量の水、若しくは海水または温水、実施形態ではクッション材４と略同体積の約３０００ｍｌの水を含水可能にしている。
【００１３】
前記クッション１の一側端部にシ−ルパイプ５が突設され、その螺軸端部６にシ−ルキャップ７がねじ込まれて取り付けられている。この実施形態は、螺軸端部６およびシ−ルキャップ７のネジ部に、市販のペットボトルのキャップと同様なネジを採用し、シ−ルキャップ７の互換性を確保している。
前記シ−ルパイプ５の内部にクッション１の内部に連通する導管８が差し込まれ、該管８の外周面に前記カバ−２，３が接着されている。
【００１４】
このように構成したクッションは、一側面と他側面を塩化ビニ−ル等の合成樹脂シ−ト製のカバ−２，３で被覆し、その四周の接合部を熱溶着して密封し、その内部に発泡ポリウレタン製の柔軟なクッション材４を収容して構成しているから、内部に錘を収容し、一側面に複数の凹部を成形した底板を取り付ける従来のものに比べて、構成が簡単で、これを容易かつ安価で軽量に製作できる。
しかも、シ−ルキャップ７として、市販のペットボトルのキャップを採用し得るから、専用のシ−ルキャップを要することなく、その分安価なクッションを提供できる。
【００１５】
そして、釣り用に使用する前は内部に水を収容せず扁平であるから、これを例えば図３のように適宜折り畳みまたは丸めて紐で束縛すればコンパクトになり、その保管や持ち運びが至便になる。
【００１６】
このようなクッションを釣り用に使用する場合は、前記コンパクトな状態で持ち運び、使用直前にシ−ルキャップ７を外し、現地で調達した水若しくは海水をシ−ルパイプ５から注入し、注水後はシ−ルパイプ５の螺軸端部６にシ−ルキャップ７をねじ込んで水密に閉塞する。
実施形態ではクッション材４と略同体積の約３０００ｍｌの水を注入し、注入した水はクッション材４に吸収され、クッション材４が十分に湿潤する。
【００１７】
この場合、導管８は開口径が比較的小径で、しかもクッション１の内部にクッション材４が充填されているから、注水の際に空気が混入する惧れが少ない。
したがって、水枕のように混入した空気によってクッション１の内部が膨張し座面が不安定になることもなく、注水後に混入した空気を排出する面倒もない。
【００１８】
したがって、前記クッション１は注水後、容積が若干増えるが、その状況は厚肉の板状を呈し、座面となる上面は突状を呈することなく略平坦面を維持する。
しかも、クッション１は注水後、注水分、すなわち約３ｋｇ重量が増えるから、風等で移動したり飛ばされたりしない。
それゆえ、注水後のクッション１を、例えば釣り船の椅子の上に敷いても安定性が良く、風等で移動したり飛ばされたりすることなく安心して使用できる。
【００１９】
この場合、水若しくは海水の代わりに、温水（７０℃〜８０℃）を注入すれば、座面が暖かくなり、冬期の釣り用クッションに好適になる。
その際、クッション材４がカバー２，３と共に断熱作用を奏するから、温水の降温を抑制し、温水効果を長時間得られる。
【００２０】
こうして注水したクッション１は、注入した水がクッション材４に吸収され、クッション材４とカバ−２，３との間に水が余り介在しないから、水の移動がクッション材４によって抑止され、クッション１の自由な変形や揺動を抑制する。
したがって、釣り船の挙動に使用者が同動しても、クッション１の動揺が抑制されるから、安定した着座状態を維持する。
【００２１】
しかも、クッション材４に水が介在しているから、従来のクッション材４のみのものに比べ、クッション効果が向上し良好な座り心地を得られるとともに、クッション材４のへたりや変形を防止し、良好な座り心地を長期に亘って得られる。
【００２２】
そして、使用後はシ−ルキャップ７を取り外し、導管８を下向きにして内部の水を外部へ排出すれば、軽量で柔軟な当初の状態が回復され、排水後はこれを適宜折り畳みまたは丸めて紐で束縛すればコンパクトになり、携帯や保管に至便になる。
【００２３】
なお、シ−ルキャップ７を扮失し、または破損した場合、市販のペットボトルのキャップを代用できるから、それらの有効利用と簡便な復旧に応じられる。
【産業上の利用可能性】
【００２４】
このように本発明のクッションは、構成が簡単で安価かつ容易に製作でき、しかも小形軽量で携帯に至便なうえに、使用時には風等に移動若しくは飛ばされず安心かつ安定して座れるから、例えば釣り用クッションに好適である。
【図面の簡単な説明】
【００２５】
【図１】本発明のクッションを展張して示す斜視図で、注水前の状況を示している。
【図２】図１のＡ−Ａ線に沿う拡大断面図である。
【図３】本発明のクッションの不使用時の状況を示す斜視図である。
【符号の説明】
【００２６】
１        クッション
２，３    カバ−
４        クッション材
５        シ−ルパイプ
７        シ−ルキャップ
【図１】
2009066030.tif 000003
【図２】
2009066030.tif 000004
【図３】
2009066030.tif 000005